(57)【特許請求の範囲】
【請求項１】
合成樹脂でモールドしたコ字状ステップのコンクリート壁への装着端部に、夫々接着材を保有するキャップを被着させ、該キャップと共に前記装着端部をコンクリート壁の対応する取付孔内に圧入させて接着固定するステップの取付装置において、
前記キャップを金網円筒状の袋体で構成し、該キャップの入口側に外方に突出する複数の係止突片を形成すると共にこれら係止突片に隣接してステップとの合わせ溝を形成したことを特徴とするコンクリート壁へのステップ取付装置。
【請求項２】
前記装着端部を取付孔内に圧入する前においては前記キャップ内に注入された前記接着材がその粘着力により該キャップの金網の目から漏れないように保有したことを特徴とする請求項１に記載のコンクリート壁へのステップ取付装置。
【発明の詳細な説明】
【０００１】
【発明の属する技術分野】
本発明は、合成樹脂でモールドしたコ字状ステップのコンクリート壁への装着端部に、夫々接着材を保有するキャップを被着させ、該キャップと共に前記装着端部をコンクリート壁の対応する取付孔内に圧入させて接着固定するステップの取付装置に関するものである。
【０００２】
【従来の技術】
従来，合成樹脂でモールドしたコ字状ステップのコンクリート壁への装着端部に、夫々接着材を保有するキャップを被着させ、該キャップと共に前記装着端部をコンクリート壁の対応する取付孔内に圧入させて接着固定するステップの取付装置おいて、前記キャップとしてスポンジ材を用いているものがある（例えば、特許文献１参照。）。
【０００３】
【特許文献１】
特公平３−３６１１６号公報
【０００４】
【発明が解決しようとする課題】
ところで、前記公知のものでは、スポンジ材のキャップが長期の使用により劣化して弾性力及び保型力がなくなり、コンクリート壁に対してステップががたつく虞がありステップが不安定となる、また、スポンジ材に接着材を含浸させて装着端部を取付孔内に接着固定する際に、接着材が作業場に漏洩，落下して周囲を汚したり、液だれしてコンクリート壁面を汚してしまう、という問題がある。
【０００５】
本発明は、従来の技術の有するこのような問題点に鑑みてなされたものであり、その目的とするところは、キャップ内部に接着材を充填，保有することが可能で、使用する接着材の分量も目安で判断でき無駄な接着材の使用がなくて液だれが防止され、接着性が優れ、装着端部が確実，適正に取付孔と嵌め合わされ、さらに、ステップの長期間の使用でも、キャップの劣化，変形を防止し、ステップの固着が確実に維持されるコンクリート壁へのステップ取付装置を提供しようとするものである。
【０００６】
また、接着材はキャップ内に予め保有され、ほとんど液漏れしないので、ステップの取付作業中に作業現場やコンクリ―ト壁面に接着材の付着を確実に防止できるコンクリート壁へのステップ取付装置を提供しようとするものである。
【０００７】
【課題を解決するための手段】
上記目的を達成するために、本発明におけるコンクリート壁へのステップ取付装置は、合成樹脂でモールドしたコ字状ステップのコンクリート壁への装着端部に、夫々接着材を保有するキャップを被着させ、該キャップと共に前記装着端部をコンクリート壁の対応する取付孔内に圧入させて接着固定するものにおいて、キャップを金網円筒状の袋体で構成し、該キャップの入口側に外方に突出する複数の係止突片を形成すると共にこれら係止突片に隣接してステップとの合わせ溝を形成したことを特徴とするものである。
【０００８】
また、装着端部を取付孔内に圧入する前においてはキャップ内に注入された接着材が該キャップの金網の目から漏れないようにしたことを特徴とするものである。
【０００９】
【発明の実施の形態】
図１ないし図４は本発明の実施例に関するものであり、図１は本発明に係るコンクリート壁へのステップ取付装置をコンクリート壁の孔に挿着した要部平面図、図２は金網円筒状の袋体のキャップの拡大平面図、図３はステップをコンクリート壁の孔に挿着する前のキャップへ接着材を注入する説明図、図４はステップをコンクリート壁の孔に挿着する前の要部平面図である。
【００１０】
図１において、１は例えばマンホ―ル壁面，岸壁，プールの内壁のようなコンクリ―ト壁２に形成された取付孔３内に固着されるステップであり、該ステップ１の両側装着端部４にはキャップ５が装着され、該キャップ５はその内周面とステップ１の装着端部４の外周面とが接着材６によって固着され、キャップ５の外周面と取付孔３の内周面とも接着材６によって固着されている。
【００１１】
図１，３，４に示すように前記ステップ１は、それぞれ前記コンクリ―ト壁２に形成された取付孔３内に固着される装着端部４と、側部７と、両側部７間に配置される足踏部８とを備え、これらは芯金９によって平面視コ字状に形成されているが、図面にはその左半分を示している。
【００１２】
前記足踏部８と側部７の全域及び装着端部４の一部は合成樹脂１０のモ―ルドがなされたものであり、装着端部４の残部１１には前記合成樹脂１０で覆われない芯金９のみが露出しており、該露出した芯金９の外周には複数の凹凸１２が形成されている。
なお、この実施例では装着端部４の一部が合成樹脂１０でモ―ルドされたものを図示説明をしたが、ステップ１としては全て合成樹脂１０でモ―ルドするものでも良く、この場合には前記凹凸１２は該合成樹脂１０の外周面に形成されることになる。
【００１３】
そして、前記足踏部８の上面の合成樹脂１０には滑止め用の凹凸１３が形成され、また側面には波形の握り部１４が形成されており、さらに、該足踏部８の両端部で側部７とのコ―ナ―部には反射体１５が取付けられている。
【００１４】
図２に示すように前記キャップ５は、細目の金網円筒状の袋体１６に成形され、該キャップ５の入口側には外方に突出する複数の係止突片１７，１７…が打抜き成形によって形成されていると共にこれら係止突片１７に隣接して前記装着端部４の凹凸１２に合わせられる合わせ溝１８が形成されている。
【００１５】
そして、前記接着材６は、例えばエポキシ系２液を混合したもので粘性の高いものを使用して、ステップ１をコンクリ―ト壁２に形成した前記取付孔３に強力に固定するものである。
【００１６】
以上のような構成からなるコンクリ―ト壁２へのステップ取付装置において、ステップ１をコンクリ―ト壁２に固着する手段としては、まず，注入器（図示せず。）内に粘性の高い接着材６を収納し、この接着材６を、図３に示すように注入器のノズル１９から２液混合状態でキャップ５の開口入口側へ目視し乍ら注入する。これによってキャップ５内には、キャップ５の容積の約半分の量の接着材６が充填，保有される。
【００１７】
この状態で、ステップ１の装着端部４をキャップ５の開口入口側に当て僅かに押し入れることにより、ステップ１の装着端部４に形成した前記凹凸１２の先端側のものがキャップ５に形成された前記合わせ溝１８に係合して、キャップ５は接着材６を保有したままステップ１に仮止めされる。
【００１８】
この状態で、図４に示すようにステップ１をコンクリ―ト壁２に形成された取付孔３に近付ける。そして、ステップ１に仮止めされたキャップ５を前記取付孔３内に挿入し、該キャップ５の先端部が取付孔３の奥端面に当接すると、キャップ５の移動は停止する。この時，キャップ５に形成された前記複数の係止突片１７，１７…はそれぞれ取付孔３の内周面に当接してキャップ５を取付孔３内の適正な位置に維持する。この間，キャップ５内に保有されている接着材６はほぼ常圧に維持されているのでキャップ５から漏れることはない。
【００１９】
前記キャップ５の移動が停止した後もなおステップ１の装着端部４の取付孔３内への進入を継続すると、装着端部４は順次キャップ５に進入し、ステップ１の装着端部４に形成した前記凹凸１２の最後端のものがキャップ５に形成された前記合わせ溝１８に係合しする状態となった時，ステップ１の移動を停止する。この間，キャップ５内にステップ１の装着端部４が進入することによりキャップ５内に保有されている接着材６は加圧され、その圧力でキャップ５内の接着材６の大部分はキャップ５の細目の金網円筒の外周から取付孔３の内周面に向けてほぼ均一に放出され、接着材６の残部はキャップ５の内周面とステップ１の装着端部４の外周面全域に拡がり展開されて、ステップ１の装着端部４と取付孔３とはキャップ５を介して接着材６によって固着される。
【００２０】
この固着手段によれば、接着材６は予めキャップ５にキャップ５の容積の約半分の量が保有され、これがステップ１の装着端部４と取付孔３の固着に適用されることから、接着材６の使用量に無駄がなく、コンクリ―ト壁面からの液だれも少ない。なお、装着端部４で取付孔３内の入口近傍に位置される箇所のモ―ルドする合成樹脂に段部２０を形成すると、前記コンクリ―ト壁面からの接着材６の液だれはほぼ完全に防止できるものである。
【００２１】
以上のようにしてコンクリ―ト壁２に固着されたステップ１は長期間の使用でも、キャップ５が金網円筒状に構成されていることから劣化，変形することなく接着材６の骨材の役も果たすことになり、ステップ１の固着は確実に維持される。
【００２２】
そして、キャップ５内に予め保有される接着材６は、ステップ１の装着端部４を圧入しない限りは接着材６の粘着力により該キャップ５からほとんど漏れることがないので、ステップ１の取付作業中に作業現場やコンクリ―ト壁面に接着材の付着を確実に防止できるものである。
【００２３】
なお、本発明に係るコンクリート壁へのステップ取付装置は、既存のコンクリ―ト壁２にステップ１を取り付ける時に使用するばかりでなく、新規コンクリ―ト壁２の製作時にも適用することが可能である。
【００２４】
【発明の効果】
本発明に係るコンクリート壁へのステップ取付装置は、金網円筒状の袋体のキャップを用いることにより、キャップ内部に接着材を充填，保有することが可能で、使用する接着材の分量も目安で判断でき無駄な接着材の使用がなくて液だれが防止され、取付作業時に金網の孔から均等に接着材が押し出されることで接着性が優れ、キャップの突片と合わせ溝を形成したことで、装着端部が確実，適正に取付孔と嵌め合わされ、さらに、ステップの長期間の使用でも、キャップが金網円筒状に構成されていることから劣化，変形することなく接着材の骨材の役も果たすことになり、ステップの固着は確実に維持されるコンクリート壁へのステップ取付装置となる。
【００２５】
また、金網円筒状の袋体のキャップを用いることにより、キャップ内に予め保有される接着材は、ステップの装着端部を圧入しない限りはほとんど液漏れしないので、ステップの取付作業中に作業現場やコンクリ―ト壁面に接着材の付着を確実に防止できるコンクリート壁へのステップ取付装置となる。
【図面の簡単な説明】
【図１】図１は本発明に係るコンクリート壁へのステップ取付装置をコンクリート壁の孔に挿着した要部平面図である。
【図２】図２は金網円筒状の袋体のキャップの拡大平面図である。
【図３】図３はステップをコンクリート壁の孔に挿着する前のキャップへ接着材を注入する説明図である。
【図４】図４はステップをコンクリート壁の孔に挿着する前の要部平面図である。
【符号の説明】
１              ステップ
２              コンクリート壁
３              取付孔
４              装着端部
５              キャップ
６              接着材
１０            合成樹脂
１６            金網円筒状の袋体
１７            係止突片
１８            合わせ溝
【図１】
0003672549.tif 000002
【図２】
0003672549.tif 000003
【図３】
0003672549.tif 000004
【図４】
0003672549.tif 000005